(57)【要約】      （修正有）【課題】脚本体と、前記脚本体から使用端側に延伸され前記脚本体に対して着脱可能な脚ベースとを具備する天板付き家具の脚において、個々の天板付き家具を単独使用する形態と複数の天板付き家具を集合使用する形態との両方に使用可能で、脚ベースを脚本体から取り外した状態でも天板を安定支持する。【解決手段】天板付き家具Ｄの天板２を支持すると共にこの天板付き家具Ｄの奥行き方向中央付近より反使用端側の所定位置で接地する第１のアジャスタ３６及び前記第１のアジャスタ３６より使用端側に配した第２のアジャスタ３７を有する脚本体と、前記脚本体から使用端側に延伸して設けられ前記脚本体に対して着脱可能な脚ベース３２とを具備する脚３において、前記第２のアジャスタ３７の位置を前記脚ベース３２の非装着時には脚本体の使用端近傍の使用位置Ｕ、前記脚ベース３２の装着時には前記使用位置Ｕから変位した退避位置Ｓに変化させる。【選択図】図６
2008035994.tif 000002
【特許請求の範囲】
【請求項１】
天板付き家具の天板を支持するとともにこの天板付き家具の奥行き方向中央付近より反使用端側の所定位置で接地する第１の接地体及び前記第１の接地体より使用端側に配した第２の接地体を有する脚本体と、前記脚本体から使用端側に延伸して設けられ前記脚本体に対して着脱可能である脚ベースとを具備し、前記第２の接地体の位置を前記脚ベースの非装着時には脚本体の使用端近傍の使用位置、前記脚ベースの装着時には前記使用位置から変位した位置である退避位置に変化させることが可能であることを特徴とする天板付き家具の脚。
【請求項２】
前記脚本体の下端部に、前記第２の接地体と、前記第２の接地体を支持する接地体受及びこの接地体受を収納する案内溝を係合させてなりこの第２の接地体を使用位置と退避位置との間で移動可能に案内する案内部とを設けていることを特徴とする請求項１記載の天板付き家具の脚。
【請求項３】
前記第２の接地体が前記使用位置から前方に移動することを禁止するストッパを設けていることを特徴とする請求項１又は２記載の天板付き家具の脚。
【請求項４】
前記第１及び第２の接地体がそれぞれ第１及び第２のアジャスタであることを特徴とする請求項１、２又は３記載の天板付き家具の脚。
【請求項５】
前記第２のアジャスタを、前記脚ベースを装着した際に前記第１のアジャスタと前記脚ベースとの間の退避位置に位置させることができるものであって、前記第２のアジャスタのを最大限上昇させた際の高さ位置を、前記第１のアジャスタを最大限上昇させた際の高さ位置よりも上方に設定していることを特徴とする請求項４記載の天板付き家具の脚。
【発明の詳細な説明】
【技術分野】
【０００１】
本発明は、天板付き家具の奥行き方向中央付近より反使用端側の所定位置で接地する脚本体と、前記脚本体から使用端側に延伸して設けられる脚ベースとを具備する天板付き家具の脚に関する。
【背景技術】
【０００２】
従来、オフィス等で用いられる天板付き家具の脚の構成として、天板付き家具の天板を支持するとともにこの天板付き家具の奥行き方向中央付近より反使用端側で接地する脚本体と、前記脚本体から使用端側に延伸して設けられこのような脚を有する天板付き家具の転倒防止部として機能する脚ベースとを具備するものが広く用いられてきている。（例えば、特許文献１を参照。）
【特許文献１】実開平１−１５２５３３号公報
【発明の開示】
【発明が解決しようとする課題】
【０００３】
ところで、オフィスの人員の増減や組織の変更に対応すべく、天板付き家具を複数個幅方向に隣接させて配置し、このように幅方向に隣接させて配置した天板付き家具の使用端縁に複数人が着座できるようにするとともに、複数個の天板付き家具の集合体に新たな天板付き家具を追加する、または前記集合体から天板付き家具を取り除くようにするオフィスの形態が考えられる。
【０００４】
このようなオフィスにおいて、上述した脚を有する天板付き家具を複数個幅方向に隣接させて配置した場合、複数の天板に跨って着座する着座者の下肢空間には前記脚ベースが存在するので、このような着座者に違和感を与える不具合が発生する。
【０００５】
しかして、このような不具合を解消する態様としては、前記脚ベースを着脱可能とし、このような天板付き家具の天板に他の天板を隣接させる場合には脚ベースを取り外すようにするものが考えられるが、特許文献１記載の脚の脚ベースをただ取り外しただけでは、脚本体は反使用端側の１点でのみ接地するため、特に天板の使用端縁近傍に荷重が加えられた際に脚が天板を安定して保持しにくくなるという新たな不具合が発生する。
【０００６】
本発明は、以上に述べた課題を解決すべく、すなわち個々の天板付き家具を単独使用する形態と複数の天板付き家具を集合体として使用する形態との両方に使用できるようにしつつ、脚ベースの使用状態を解除した際にも天板を安定して支持できるようにすべく構成するものである。
【課題を解決するための手段】
【０００７】
すなわち本発明に係る天板付き家具の脚は、天板付き家具の天板を支持するとともにこの天板付き家具の奥行き方向中央付近より反使用端側の所定位置で接地する第１の接地体及び前記第１の接地体より使用端側に配した第２の接地体を有する脚本体と、前記脚本体から使用端側に延伸して設けられ前記脚本体に対して着脱可能である脚ベースとを具備し、前記第２の接地体の位置を前記脚ベースの非装着時には脚本体の使用端近傍の使用位置、前記脚ベースの装着時には前記使用位置から変位した位置である退避位置に変化させることが可能であることを特徴とする。
【０００８】
このように構成すれば、前記脚ベースの非装着時において、前記第２の接地体を前記使用位置に配することにより、前記第１の接地体が反使用端近傍で接地するだけでなく、前記第１の接地体の接地部位よりも使用端側の部位で第２の接地体が接地し、前記脚ベースの非装着時においてもこのような脚により天板を安定して支持できる。そして、このように構成した上で、前記第２の接地体の位置を退避位置に変化させ前記脚ベースを装着する態様を採用することにより、脚ベースを奥行き方向にスライド移動させる態様と比較して、脚ベースを脚本体の使用端縁近傍だけでなくより反使用端縁側の部位でも支持させることができ、脚本体に脚ベースをより安定して保持させることができる。なお、前記退避位置は脚の内部である必要はなく、さらにこのような脚を設けた天板付き家具内部である必要もない。すなわち、このような天板付き家具の天板の裏面や１対設けた脚間を接続する幕板に退避位置を設定してもよく、さらに倉庫内等に退避位置を設定してもよい。
【０００９】
このように前記退避位置が前記第１の接地体と前記脚ベースとの間である態様において、前記脚本体の下端部に、前記第２の接地体と、前記第２の接地体を支持する接地体受及びこの接地体受を収納する案内溝を係合させてなりこの第２の接地体を使用位置と退避位置との間で移動可能に案内する案内部とを設けているものであれば、前記第２の接地体を前記案内部を介して前記使用位置と前記退避位置との間でスライド移動させることができるので、前記第２の接地体の前記使用位置と前記退避位置との間の移動を容易に行えるようにできるとともに、この移動の間に第２の接地体を見失う不具合の発生をさらに抑えることができる。
【００１０】
また、前記第２の接地体が前記使用位置から前方に移動することを禁止するストッパを設けているものであれば、第２の接地体が使用位置より前方に移動し脚本体から外れてしまう不具合の発生を防ぐことができる。
【００１１】
一方、前記第１及び第２の接地体がそれぞれ第１及び第２のアジャスタであれば、このような脚を有する天板付き家具を設置すべき面の不陸に対応させてアジャスタの接地面を昇降させ、天板をより安定して支持させることができる。
【００１２】
特に、前記第２のアジャスタを、前記脚ベースを装着した際に前記第１のアジャスタと前記脚ベースとの間の退避位置に位置させることができるものであって、前記第２のアジャスタの接地面を最大限上昇させた際の高さ位置を、前記第１のアジャスタの接地面を最大限上昇させた際の高さ位置よりも上方に設定しているものであれば、前記第２のアジャスタを退避位置に位置させた際に、前記第２のアジャスタの接地面を最大限上昇させることにより、第２のアジャスタが第１のアジャスタに優先して接地しこの脚による天板の支持が安定しなくなる不具合の発生を防ぐことができる。さらに、このように構成すれば、第１のアジャスタを常時接地させつつ第２のアジャスタの接地面を接地させない状態にして第２のアジャスタを容易に使用位置から退避位置へ、又はその逆方向へ容易に移動させることができるようになる。
【発明の効果】
【００１３】
本発明に係る天板付き家具の脚の構成によれば、脚ベースを装着しない状態で脚本体の第２の接地体をこの脚の使用端近傍の使用位置に配し、反使用端近傍に配した前記第１の接地体及びこの第２の接地体で接地させる態様と、脚ベースを装着して第２の接地体を前記退避位置に配し、前記第１の接地体及び脚ベースで接地させる態様とを選択可能である。従って、前記脚ベースの非装着時においてもこのような脚により天板を安定して支持できるとともに、脚ベースを奥行き方向にスライド移動させる態様と比較して、脚ベースを脚本体の使用端縁近傍だけでなくより反使用端縁側の部位でも支持させることができ、脚本体に脚ベースをより安定して保持させることができる。そして、このような脚を有する天板付き家具の集合体を用い、該集合体の幅方向両端に位置する脚のみに脚ベースを取り付けるようにすれば、天板付き家具の数が人数より少ない場合に着座者に違和感を抱かせることなく着座させることができる一方、または人数より多い数の天板付き家具に余裕を持たせて着座させる態様にも対応できる。すなわち、オフィス空間に配置している天板付き家具をそのまま利用して、人員の増減や組織の変更に対応させることもできる。
【発明を実施するための最良の形態】
【００１４】
以下、本発明の一実施形態を、図面を参照して説明する。
【００１５】
本実施形態に係る天板付き家具システムＳＳは、図１に斜視図、図２に平面図をそれぞれ示すように、同一構造を有する天板付き家具たる机Ｄを複数個幅方向に隣接させて形成している。
【００１６】
前記机Ｄは、前記図１及び図２に示すように、また、図３に単独使用時の斜視図を示すように、支持構造体１と、この支持構造体１に支持させてなる天板２とを具備する。
【００１７】
前記支持構造体１は、本実施形態では幅方向に離間して配してなりそれぞれ天板２の側端部を支持する１対の脚３、３を少なくとも具備する。
【００１８】
前記脚３は、前記図１及び図３に示すように、また、机の側面図を図４及び図６に示すように、さらに、この脚の底面斜視図を図５及び図７に示すように、天板２を支持するとともにこの机Ｄの奥行き方向中央付近より反使用端側の所定位置、具体的には天板２の反使用端下方で接地する脚本体３１と、前記脚本体３１の使用端側に配され前記脚本体３１の接地部位よりも使用端側で接地する状態である使用状態をとることができる転倒防止部たる脚ベース３２とを具備する。そして、この脚ベース３２は、前記脚本体３１に対して使用端側すなわち前方から着脱可能にしている。なお、前記図６には、前記脚ベース３２を取り付けた状態も想像線により示している。
【００１９】
前記脚本体３１は、天板２を支持する天板支持部３３と、この天板支持部３３から垂下して設けられる脚柱３４と、この脚柱３４の下端部に設けられる脚ベース受部３５と、この脚ベース受部３５の下方に設けられる第１、第２の接地体たる第１、第２のアジャスタ３６、３７とを具備するとともに、前記天板支持部３３、脚柱３４、及び脚ベース受部３５を被覆するカバー材を具備する。なお、前記図４及び図６では、前記脚本体３１を被覆するカバー材は省略して示しているとともに、天板２及び前記脚ベース３２を被覆するカバー材３２ｃを想像線により示している。また、前記天板支持部３３、脚柱３４、及び脚ベース受部３５は、本実施形態では金属製の角パイプ状部材を利用して形成している。
【００２０】
前記天板支持部３３は、天板２の側縁部の下方に配されて該天板２の奥行き方向に延伸する。そして本実施形態では、天板２の下面に図示しないネジを用いて取り付けるようにしている。
【００２１】
前記脚柱３４は、本実施形態では、前記天板支持部３３の反使用端側端縁から垂下する後脚柱要素３４ａと、前記天板支持部３３の奥行き方向中央部から垂下する前脚柱要素３４ｂとを具備する。
【００２２】
前記脚ベース受部３５は、前記後脚柱要素３４ａの下端と前記前脚柱要素３４ｂの下端とを接続する部材である。この脚ベース受部３５の反使用端側端部の下方には、前記図５及び図７に示すように、第１のアジャスタ３６を取り付けるべく第１のアジャスタ受３５１を設けている。
【００２３】
さらに、この脚ベース受部３５には、前記第２のアジャスタ３７を前記第１のアジャスタ３６よりも使用端側に取り付けるようにすべく第２のアジャスタ受３５２を設けている。加えて、この脚ベース受部３５には、前記第２のアジャスタ受３５２を前後方向に移動可能に案内すべく下方に開口する案内溝３５ｘを設けている。前記第２のアジャスタ受３５２、及び第２のアジャスタ受３５２に支持させてなる第２のアジャスタ３７は、前記脚ベース３２の非装着時には、前記図５及び図７に示すように、この脚ベース受部３５の使用端近傍の使用位置Ｕに位置させるようにしている。その一方で、前記脚ベース３２の装着時には、前記図４及び図６に示すように、前記第１のアジャスタ受３５１と前記脚ベースとの間で前記第１のアジャスタ受３５１に略隣接する退避位置Ｓに位置させるようにしている。ここで、図８に、第２のアジャスタ３７及び第２のアジャスタ受３５２を使用位置Ｕから使用端側に引き出した状態を示している。これら第２のアジャスタ３７及び第２のアジャスタ受３５２は、この図８に示す状態から脚ベース受部３５の案内溝３５ｘ内を反使用端側にスライドさせて使用する。
【００２４】
さらに、前記図４〜図８に示しように、前記脚ベース受部３５の側面には、前記使用位置Ｕ及び前記退避位置Ｓそれぞれの近傍に第１及び第２のストッパ受孔３５ｙ、３５ｚを設けていて、前記第２のアジャスタ受３５２には前記第１又は第２のストッパ受孔３５ｙ、３５ｚに重合させることが可能なストッパ受孔３５２ｘを設けている。そして、前記脚ベース受部３５の前記第１のストッパ受孔３５ｙと前記第２のアジャスタ受３５２のストッパ受孔３５２ｘとを重合させた状態でストッパ部材ＳＴをこれらストッパ受孔３５ｙ、３５２ｘに挿通させることにより第２のアジャスタ３７を前記使用位置Ｕに固定してこの使用位置Ｕから前方及び後方への移動を禁止し、この第２のアジャスタ３７の脚本体３１からの脱落を防ぐようにしている。また、前記脚ベース受部３５の前記第２のストッパ受孔３５ｚと前記第２のアジャスタ受３５２のストッパ受孔３５２ｘとを重合させた状態でストッパ部材ＳＴをこれらストッパ受孔３５ｚ、３５２ｘに挿通させることにより第２のアジャスタ３７を前記使用位置Ｕに固定してこの使用位置Ｕから前方及び後方への移動を禁止するようにしている。なお、ベース受部３５の案内溝３５ｘの使用端側端部の開口を閉塞し、前記第２のアジャスタ受３５２がこの開口を閉塞した部位より前方に移動することを禁止する等、他の方法で第２のアジャスタ３７及び第２のアジャスタ受３５２の使用位置Ｕから前方への移動を禁止するようにしてもよい。
【００２５】
一方、前記脚ベース３２は、前記脚ベース受部３５に対して脱着可能にしていて、前記図４に示すような前記脚ベース受部３５に装着した状態で、上述したように前記脚本体３１の接地部位よりも使用端側で接地する状態である使用状態をとることができる。また、この脚ベース３２は、先端部に接地体たるアジャスタ３２１を設けていて、使用状態ではこの脚ベース３２のアジャスタと、前記脚本体３１の第１のアジャスタ３６とを接地させるようにしている。その際、前記脚本体３１の第２のアジャスタ３７は、前記第１のアジャスタ３６を最大限上昇させた際の高さ位置よりもさらに上方に位置させて、脚ベース３２を装着した際にこの第２のアジャスタ３７が接地しないようにすることができるようにし、第１のアジャスタ３６を常時接地させつつ第２のアジャスタ３７の接地面を接地させない状態にすることにより第２のアジャスタ３７を容易に使用位置Ｕから退避位置Ｓへ、又はその逆方向へ容易に移動させることができるようにしている。さらに、この脚ベース３２には、使用状態において前記脚ベース受部３５の前記第１のストッパ受孔３５ｙに重合する位置にストッパ受孔（図示略）を設けていて、このストッパ受孔と前記第１のストッパ受孔３５ｙとにストッパ部材ＳＴを挿通させることによりこの脚ベースの脚本体３１からの脱落を防ぐようにしている。
【００２６】
そして、前記天板２は、矩形板状をなすこの種の天板付き家具に広く用いられる構成のものである。
【００２７】
以下に、この天板付き家具システムＳＳから机Ｄを取り除く手順について述べる。
【００２８】
まず、この天板付き家具システムＳＳの幅方向一端に位置していた机Ｄ、すなわち幅方向一端側のみに他の机Ｄを隣接させている机Ｄを取り外した場合は、新たにこの天板付き家具システムＳＳの幅方向一端に位置すべき机Ｄの脚３の脚本体３１に、脚ベース３２を取り付ける操作を行う。なお、脚ベース３２の取り付けの手順は前段で述べたものと全く同様の手順で行う。
【００２９】
次いで、取り除くべき机Ｄの両側の脚３、３の脚本体３１、３１に、脚ベース３２、３２をそれぞれ取り付ける。具体的には、まず、第２のアジャスタ３７及び第２のアジャスタ受け３５２を使用位置Ｕから退避位置Ｓに移動させ、次いで前記案内溝３５ｘに前記脚ベース３２を挿入する操作を行う。
【００３０】
それから、取り除くべき机Ｄとこの机Ｄに隣接する机Ｄとの連結を解除する。
【００３１】
その後、前記机Ｄをこの天板付き家具システムＳＳから取り外す。さらに、幅方向両側に他の机Ｄをそれぞれ隣接させている机Ｄを取り外した場合は、取り外した机Ｄの両側に隣接していた机Ｄ、Ｄ間の距離を詰めるべくこの天板付き家具システムＳＳを構成する机Ｄを移動させ、取り外した机Ｄの両側に隣接していた机Ｄ、Ｄ間を連結する。
【００３２】
また、この天板付き家具システムＳＳに机Ｄを追加する手順について以下に述べる。
【００３３】
この天板付き家具システムＳＳの幅方向一端に机Ｄを追加する場合は、まず、新たに追加した机Ｄとこの机に隣接する机Ｄとを連結する。次いで、机Ｄを追加する前の時点で前記一端側に位置していた机Ｄの前記一端側の脚３の脚ベース３２を取り外す。それから、追加すべき机Ｄの前記一端側と反対側の脚３の脚ベース３２も取り外す。そして、脚ベース３２を取り外した脚３、３に対して、前記第２のアジャスタ受け３５２及び第２のアジャスタ３７を前記使用位置Ｕに位置させる操作を行う。一方、この天板付き家具システムＳＳの幅方向中間部に机Ｄを追加する場合は、まず、新たに追加すべき机Ｄに隣接させる２つの机Ｄ、Ｄ間の連結を解除する。それから、連結を解除した机Ｄ、Ｄ間に追加すべき机Ｄを挿入可能な空間を設けるべく机Ｄを移動させる。次いで、設けられた空間に机Ｄを挿入し、挿入した机Ｄと、この机Ｄに隣接する机Ｄ、Ｄとをそれぞれ連結する。その後、追加すべき机Ｄの両側の脚３の脚ベース３２、３２を取り外し、脚ベース３２を取り外した脚３、３に対して、前記第２のアジャスタ受け３５２及び第２のアジャスタ３７を前記使用位置Ｕに位置させる操作を行う。
【００３４】
本実施形態に係る机Ｄの脚３は、以上に述べたように、奥行き方向中央付近より反使用端側の所定位置で接地する第１のアジャスタ３６及び前記第１のアジャスタ３６より使用端側に配した第２のアジャスタ３７を有する脚本体３１と、この脚本体３１から使用端側に延伸して設けられ前記脚本体３１に対して着脱可能な脚ベース３２とを具備し、前記脚ベース３２の非装着時には第２のアジャスタ３７を脚本体３１の脚ベース受３５の使用端近傍の使用位置Ｕ、前記脚ベース３２の装着時には前記使用位置Ｕから変位した位置である退避位置Ｓに配することができるようにしている。従って、前記脚ベース３２の非装着時には前記第２のアジャスタ３７を前記使用位置Ｕに配することにより、前記第１のアジャスタ３６及び第２のアジャスタ３７が脚本体３１の脚ベース受３５の反使用端近傍及び使用端近傍の下方でそれぞれ接地し、従って前記脚ベース３２の非装着時においてもこのような脚３１により天板２を安定して支持できる。そして、このように構成した上で、前記第２のアジャスタ３７の位置を退避位置Ｓに変化させ前記脚ベース３２を装着する態様を採用することにより、脚ベース３２を奥行き方向にスライド移動させる態様と比較して、脚ベース３２を脚本体３１の使用端縁近傍だけでなくより反使用端縁側の部位でも支持させることができ、脚本体３１に脚ベース３２をより安定して保持させることができる。
【００３５】
また、前記退避位置Ｓを、前記第１のアジャスタ３６と前記脚ベース３２との間に設定しているので、前記脚ベース３２を取り外して前記第２のアジャスタ３６を使用位置Ｕに移動させる際に、第２のアジャスタ３６を見失う可能性が非常に小さく、第２のアジャスタ３６を見失うことによりこの第２のアジャスタ３６を使用位置Ｕに移動させる操作が行えなくなる不具合の発生を防ぐことができる。
【００３６】
さらに、前記退避位置Ｓを、前記第１のアジャスタに略隣接する位置に設定しているのでで、脚ベース３２をこの退避位置Ｓ近傍まで挿入させることができ、従って脚本体３１に脚ベース３２を非常に安定して保持させることができる。
【００３７】
さらに、上述したように前記退避位置Ｓを前記第１のアジャスタ３６と前記脚ベース３２との間に設定した上で、前記脚本体３１の下端部に、前記第２のアジャスタ３７と、この第２のアジャスタ３７を使用位置Ｕと退避位置Ｓとの間で移動可能に案内する案内部Ｇとを設けているので、前記第２のアジャスタ３７を前記案内部Ｇを介して前記使用位置Ｕと前記退避位置Ｓとの間でスライド移動させることができ、従って前記第２のアジャスタ３７の前記使用位置Ｕと前記退避位置Ｓとの間の移動を容易に行えるようにできる。そして、この移動の間に第２のアジャスタ３７を見失う不具合の発生をさらに抑えることができる。
【００３８】
また、前記第２のアジャスタ３７を支持する第２のアジャスタ受３５２と、この第２のアジャスタ受３５２を収納する案内溝３５ｘとを係合させて前記案内部Ｇを構成しているので、このような案内部Ｇを容易に形成できる。
【００３９】
さらに、第１及び第２のアジャスタ３６、３７をそれぞれ第１及び第２の接地体として機能させているので、このような脚３を有する机Ｄの接地面の不陸に対応させて第１及び第２のアジャスタ３６、３７の接地面を昇降させ、天板２をより安定して支持させることができる。
【００４０】
特に、前記第２のアジャスタ３７を、前記脚ベース３２を装着した際に前記第１のアジャスタ３６と前記脚ベース３２との間の退避位置Ｓに位置させることができるようにした上で、前記第２のアジャスタ３７の接地面を最大限上昇させた際の高さ位置を、前記第１のアジャスタ３６の接地面を最大限上昇させた際の高さ位置よりも上方に設定しているので、前記第２のアジャスタ３７を退避位置Ｓに位置させた際に、前記第２のアジャスタ３７の接地面を最大限上昇させることにより、第２のアジャスタ３７が第１のアジャスタ３６に優先して接地しこの脚３による天板２の支持が安定しなくなる不具合の発生を防ぐことができる。加えて、第１のアジャスタ３６を常時接地させつつ第２のアジャスタ３７の接地面を接地させない状態にすることにより第２のアジャスタ３７を容易に使用位置Ｕから退避位置Ｓへ、又はその逆方向へ容易に移動させることができる。
【００４１】
なお、本発明は以上に述べた実施形態に限られない。
【００４２】
例えば、前記脚ベースを脚本体に安定して保持可能なだけの挿入深さを確保していれば、前記退避位置は、上述した実施形態のように第１の接地体に略隣接する位置に設定するだけでなく、この位置と前記脚ベースを最大限挿入した際にこの脚ベースの挿入端に隣接する位置との間であればどこに設定してもよい。
【００４３】
さらに、第１の接地体にと脚本体に装着したベースとの間に第２の接地体の退避位置を設定するだけでなく、例えば脚本体の内部に第２の接地体を収納可能に設けた接地体退避空間を設け、脚ベースを装着する際に第２の接地体を一旦取り外してこの接地体退避空間に装着するようにしてもよい。さらに、退避位置は脚の内部である必要はなく、天板の裏面に設定してもよく、また、天板を支持する支持構造体に脚間を接続する幕板を具備させ、この幕板の裏面（下肢空間側の面）に設定してもよい。さらに、このような天板付き家具外部の倉庫内に設定してもよく、さらに、このような天板付き家具に引き出しを設けている、あるいはこのような天板付き家具の下肢空間にワゴン等の収納家具を配するようにする態様では前記引き出しの内部、あるいは収納家具の内部に退避位置を設定してもよい。
【００４４】
加えて、前記脚本体の下端部に、前記第２の接地体と、この第２の接地体を使用位置と退避位置との間で移動可能に案内する案内部とを設ける代わりに、脚本体に第２の接地体を使用位置と退避位置とに選択的に取り付け可能に構成してもよい。
【００４５】
また、第１及び第２の接地体は、必ずしもアジャスタである必要はない。
【００４６】
そして、脚本体は、天板を支持する機能を有するものであれば、以上に述べたようなものに限らず、天板の側縁から垂下して設けたパネル状のもの等、種々に構成してよい。加えて、脚本体が接地する所定位置は、奥行き方向中央付近より反使用端側であれば、天板の反使用端下方に限らず、任意に設定してよい。
【００４７】
その他、本発明の趣旨を逸脱しない範囲で種々変形が可能である。
【図面の簡単な説明】
【００４８】
【図１】本発明の一実施形態に係る天板付き家具システムを示す斜視図。
【図２】同実施形態に係る天板付き家具システムを示す平面図。
【図３】同実施形態に係る天板付き家具システムを構成する机を示す側面図。。
【図４】同実施形態に係る机の脚の脚ベースを装着した状態を示す底面斜視図。
【図５】同実施形態に係る机の脚の脚ベースを装着した状態を示す側面図。
【図６】同実施形態に係る机の脚の脚ベースを取り外した状態を示す底面斜視図。
【図７】同実施形態に係る机の脚の脚ベースを取り外した状態を示す側面図。
【図８】同実施形態に係る脚ベース受部への第２のアジャスタ及び第２のアジャスタ受の取付態様を示す図。
【符号の説明】
【００４９】
３…脚
３１…脚本体
３２…脚ベース
３３…天板支持部
３４…脚柱
３５…脚ベース受部
３５１…第１の接地体受（第１のアジャスタ受）
３５２…第２の接地体受（第２のアジャスタ受）
３６…第１の接地体（第１のアジャスタ）
３７…第２の接地体（第２のアジャスタ）
【図１】
2008035994.tif 000003
【図２】
2008035994.tif 000004
【図３】
2008035994.tif 000005
【図４】
2008035994.tif 000006
【図５】
2008035994.tif 000007
【図６】
2008035994.tif 000008
【図７】
2008035994.tif 000009
【図８】
2008035994.tif 000010